(57)【特許請求の範囲】
【請求項１】
冷媒を高温高圧化する圧縮機と、この圧縮機から導入した前記冷媒を外気と熱交換して液化する凝縮器と、この凝縮器に外気を導入する送風機と、循環ポンプにて循環される水槽の槽内水を導入させながら前記凝縮器から液化冷媒を導入して前記槽内水の熱交換を行う水用熱交換器と、これらの冷凍機器を内蔵する本体ケースと、前記本体ケース内に配置され、前記凝縮器に外気を導入するシロッコファンを備えた水槽用クーラーであって、
前記シロッコファンのファンケーシングは、ファンモータの回転軸を中心として回動可能に支持され、前記本体ケースは、前記ファンケーシングの吹出口を選択的に連通させるための複数の排気口を異なった位置に有していることを特徴とする水槽用クーラー。
【請求項２】
冷媒を高温高圧化する圧縮機と、この圧縮機から導入した前記冷媒を外気と熱交換して液化する凝縮器と、この凝縮器に外気を導入する送風機と、循環ポンプにて循環される水槽の槽内水を導入させながら前記凝縮器から液化冷媒を導入して前記槽内水の熱交換を行う水用熱交換器と、これらの冷凍機器を内蔵する本体ケースと、前記本体ケース内に配置され、前記凝縮器に外気を導入するシロッコファンを備えた水槽用クーラーであって、
前記本体ケースの内部には、前記シロッコファンの外気吸込風路と隔絶された機械室が形成され、前記外気吸込風路に前記凝縮器が配置され、かつ、前記機械室に前記圧縮機および前記水用熱交換器が配置されていることを特徴とする水槽用クーラー。
【請求項３】
本体ケースの内部には、シロッコファンの外気吸込風路と隔絶された機械室が形成され、前記外気吸込風路に凝縮器が配置され、かつ、前記機械室に圧縮機および水用熱交換器が配置されていることを特徴とする請求項１記載の水槽用クーラー。
【請求項４】
本体ケースはキャビネットの内部に設置され、前記本体ケースに設けられた複数の吹出口のうちの１つに選択的に接続されてシロッコファンからの吹出空気を、前記キャビネット外に排気する着脱可能な排気ダクトを備えていることを特徴とする請求項１記載の水槽用クーラー。
【請求項５】
本体ケースは室内に設置され、前記本体ケースに設けられた複数の吹出口のうちの１つに選択的に接続されてシロッコファンからの吹出空気を屋外に排気する着脱可能な排気ダクトを備えていることを特徴とする請求項１記載の水槽用クーラー。
【請求項６】
シロッコファンのファンケーシングは、外気吸込風路より小さな断面積に形成されていることを特徴とする請求項１または請求項２記載の水槽用クーラー。
【発明の詳細な説明】
【０００１】
【発明の属する技術分野】
この発明は、例えば観賞魚および珊瑚や水草等の飼育用、あるいは植物栽培用などの水槽に装備する水槽用クーラーに関するものである。
【０００２】
【従来の技術】
図７は、例えば特開平１１−１６９０１７号公報に開示された従来の水槽用クーラーを備えた観賞魚用水槽を示す正面図であり、同図において、１は観賞魚用の水槽、２はその水槽１の槽内水を適温に保冷する水槽用クーラーである。図８は図７中の水槽用クーラー２を示す概略的な拡大斜視図であり、同図において、３は前記水槽用クーラー２の本体ケースであり、吸込グリル３ａと吹出グリル３ｂを有している。
【０００３】
４はロータリ式の圧縮機、５は凝縮器、６は膨張弁、７は蒸発器（図示せず）を内蔵して前記水槽１の槽内水を冷却する水用熱交換器であり、これらの冷凍機器は冷媒配管で接続されて冷凍サイクルを構成するもので、前記本体ケース３内に収納されている。８は凝縮器５に外気を導入するプロペラファンであって前記本体ケース３内に収納配置されている。９は前記水槽１から槽内水を前記水用熱交換器７に導入する循環水導入管路、１０は前記水用熱交換器７から熱交換後の循環水を前記水槽１内に戻す循環水導出管路、１１はマイコン構成の制御部である。ここで、本体ケース３内での前記各冷凍機器の配置について説明すると、本体ケース３に着脱可能に組み付けられた吸込グリル３ａの裏側近傍にはフィルタ（図示せず）を介して凝縮器５が配置され、この凝縮器５との間で間隙を存してプロペラファン８を挟む位置で前記本体ケース３の吹出グリル３ｂの近傍に圧縮機４が配置され、前記本体ケース３の上部に水用熱交換器７が配置されている。
３０は水槽１内の槽内水を循環水導入管路９に導き、水用熱交換器７内に流通させる循環ポンプで、使用者が水槽１の大きさ等に合わせて適した搬送能力のものを選定して購入したものを取り付けるか、または、水槽用クーラーに付属のもので、この例では循環水導入管路９の先端に取り付けているが、循環水導入管路９や循環水導出管路１０の途中に設けたものもある。
【０００４】
次に動作について説明する。
冷凍サイクルにおいて、圧縮機４から吐出された高温高圧の冷媒ガスは凝縮器５に流入する。この凝縮器５では、プロペラファン８によって導入された外気に放熱して熱交換し、その熱交換によって液化した冷媒はドライヤ（図示せず）および膨張弁６を経て水用熱交換器７内の蒸発器（図示せず）に流入する。ここで、前記水用熱交換器７内には水槽１の槽内水が循環水導入管路９から流入しているため、前記蒸発器に流入した液化冷媒は、前記槽内水から吸熱して当該槽内水を設定温度に冷却する。そして、槽内水から吸熱した冷媒は蒸発してガス化し、配管を通って圧縮機４に戻る一方で、設定温度に冷却された槽内水は循環水導出管路１０を通って水槽１内に戻る。他方、前記プロペラファン８によって本体ケース３内に吸い込まれ、前記凝縮器５で熱交換された高温空気（温風）は圧縮機４の周辺を迂回しながら吹出グリル３ｂから吹き出される。
【０００５】
【発明が解決しようとする課題】
従来の水槽用クーラーは以上のように構成されているので、次のような幾多の課題があった。
（１）凝縮器５に外気を導入するための凝縮用ファンとしてプロペラファン８を使用しているが、このプロペラファン８は高静圧対応とはならないため、フィルタが早期に目詰まりして冷却能力が低下するとともに、本体ケース３の内部全体が風路となるため、凝縮器５による熱交換後の温風がプロペラファン８によって水用熱交換器７に吹き付けられ、その水用熱交換器７で熱交換すべき槽内水（循環水）が加熱されて水温が上昇し、その結果、冷却効率が低下する。
（２）プロペラファン８は空気の吹出方向（排気方向）を選択的に可変できないため、室内へのクーラー据え付け時に後方排気、前方排気、側方排気、天井向け排気の何れかに吹出グリル３ｂが予め設定された本体ケース３で対応しなければならず、その対応によっても、後方排気の場合は、本体ケース３の背面に狭い空間しか確保できず、その狭い空間に熱が籠もり、前方排気の場合は、人体に温風が当たり、側方排気の場合は、排気方向にスペースを確保する必要があり、天井向け排気の場合は、水滴が落下するなど、クーラー据付場所の制約が多かった。
（３）クーラーをキャビネット内に設置することもあるが、この場合、排気した高温空気がキャビネット内部に籠もってショートサイクルが起こりやすくなり、水槽１内の水温が上昇し、槽内水保冷上の冷却効率が低下する。
（４）水槽１と共にクーラーを室内に設置した場合、凝縮器５による熱交換後の高温空気（温風）が室内に排気されるため、水槽１内の水温が上昇して槽内水保冷上の冷却効率が低下する。
（５）本体ケース１内の風路上に騒音源となる圧縮機４が配置されているため、圧縮機４の運転音がプロペラファン８による吹き出し空気とともに室内に吹き出されて室内騒音が大きくなるおそれがった。
（６）本体ケース１の内部空間からなる風路に、圧縮機４および圧縮機４を含む冷凍機器の接続配管が配置されているため、余分な風路圧損が増大して風量が減少し、その風路圧損を低減して風量を確保するためには風路スペースを拡大する必要があり、そのスペース拡大によってクーラー全体（本体ケース３）が大型化する。
（７）プロペラファン８は送風圧力の損失を軽減する必要があるが、プロペラファン８の送風量に比べ本体ケース３の吹出グリル３ｂの開口面積が大きくなっているため、吹出風速が遅くなって吹出グリル３ｂまでの到達距離が短くなり、その結果、室内空気の対流の影響を受けてショートサイクルが起こりやすく、そのショートサイクルによって冷却効率が低下する。
【０００６】
この発明は上記のような課題を解決するためになされたもので、フィルタの目詰まりによる冷却能力の低減率を小さくすることが可能な水槽用クーラーを得ることを目的とする。
【０００７】
また、この発明は、排気方向を選択的に可変でき、クーラー据付場所の制約を緩和することができる水槽用クーラーを得ることを目的とする。
【０００８】
さらに、この発明は、凝縮器による熱交換後の高温空気の排気に起因したショートサイクルによる冷却効率の低下を防止することが可能な水槽用クーラーを得ることを目的とする。
【０００９】
さらに、この発明は、熱交換後の高温空気が水槽周辺あるいは室内に排気されることがなく、水槽内の水温を適温に保持することができる水槽用クーラーを得ることを目的とする。
【００１０】
さらに、この発明は、圧縮機の運転音が機外に漏れ難い構造として、低騒音化が図れる水槽用クーラーを得ることを目的とする。
【００１１】
さらに、この発明は、余分な風路圧損の発生を防止できる風路構成とすることができるものでありながら、風路スペースの縮小化およびその縮小化に伴うクーラー全体の小型化が図れる水槽用クーラーを得ることを目的とする。
【００１２】
さらに、この発明は、ショートサイクルが起こり難く、冷却効率を向上させることが可能な水槽用クーラーを得ることを目的とする。
【００１３】
【課題を解決するための手段】
この発明に係る水槽用クーラーは、冷媒を高温高圧化する圧縮機と、この圧縮機から導入した前記冷媒を外気と熱交換して液化する凝縮器と、この凝縮器に外気を導入する送風機と、循環ポンプにて循環される水槽の槽内水を導入させながら前記凝縮器から液化冷媒を導入して前記槽内水の熱交換を行う水用熱交換器と、これらの冷凍機器を内蔵する本体ケースと、前記本体ケースの内部に配置され、前記凝縮器に外気を導入するためのシロッコファンを備えた水槽用クーラーであって、前記シロッコファンのファンケーシングは、ファンモータの回転軸を中心として回動可能に支持され、前記本体ケースは、前記ファンケーシングの吹出口を選択的に連通させる複数の排気口を異なった位置に有しているものである。
【００１５】
この発明に係る水槽用クーラーは、冷媒を高温高圧化する圧縮機と、この圧縮機から導入した前記冷媒を外気と熱交換して液化する凝縮器と、この凝縮器に外気を導入する送風機と、循環ポンプにて循環される水槽の槽内水を導入させながら前記凝縮器から液化冷媒を導入して前記槽内水の熱交換を行う水用熱交換器と、これらの冷凍機器を内蔵する本体ケースと、前記本体ケースの内部に配置され、前記凝縮器に外気を導入するためのシロッコファンを備えた水槽用クーラーであって、前記本体ケースの内部に、前記シロッコファンの外気吸込風路と隔絶された機械室を形成し、前記外気吸込風路に前記凝縮器を配置するとともに、前記機械室には前記圧縮機および前記水用熱交換器を配置したものである。
【００１６】
この発明に係る水槽用クーラーは、  本体ケースがキャビネットの内部に設置され、前記本体ケースに設けられた複数の吹出口のうちの１つに選択的に接続されてシロッコファンからの吹出空気を、前記キャビネットの外部に排気する着脱可能な排気ダクトを備えているものである。
【００１７】
この発明に係る水槽用クーラーは、本体ケースが室内に設置され、前記本体ケースに設けられた複数の吹出口のうちの１つに選択的に接続されてシロッコファンからの吹出空気を屋外に排気する着脱可能な排気ダクトを備えているものである。
【００１８】
この発明に係る水槽用クーラーは、シロッコファンのファンケーシングを、外気吸込風路よりも小さな断面積に形成したものである。
【００１９】
【発明の実施の形態】
以下、この発明の実施の一形態を説明する。
実施の形態１．
図１はこの発明の実施の形態１による水槽用クーラーの外観図、図２は図１の拡大断面図、図３は図１の水槽クーラーにおける本体ケースを分解してケース内部の冷凍機器を表出させた状態を示す斜視図であり、図７および図８と同一または相当部分には同一符号を付して重複説明を省略する。図において、１２は本体ケース３のベース（底面板）であり、このベース１２上に後述する冷凍機器が組み付け配置される。１３，１４は前記ベース１２に着脱可能に組み付けられる左右一対のサイドパネル、１５をそれらのサイドパネル１３，１４間で前記ベース１２に着脱可能に組み付けられて当該ベース１２上の冷凍機器を覆うトップパネルであり、このトップパネル１５の一側において、前記ベース１２と前記サイドパネル１３，１４との間にはグリル取付用の開口部が形成され、この開口部に吸込グリル３ａが着脱可能に取り付けられている。したがって、本体ケース３は、ベース１２とサイドパネル１３，１４とトップパネル１５とからなって組立分解可能な構成となっている。
【００２０】
ここで、サイドパネル１３，１４には排気口としての側方吹出口１３ａ，１４ａ（図１、図３参照）が設けられ、前記トップパネル１５には同じく排気口としての上方吹出口１５ａ（図３参照）が設けられ、これらの側方吹出口１３ａ，１４ａと上方吹出口１５ａは、クーラー据付場所の状況に応じてファン吹出方向を選択的に可変するためのもので、両者はほぼ同一の開口面積に形成されている。１６は前記側方吹出口１３ａ，１４ａに着脱可能に止着された閉塞蓋、１７は前記上方吹出口１５ａに着脱可能に止着された吹出グリルであり、これらの閉塞蓋１６および吹出グリル１７は、前記側方吹出口１３ａ，１４ａと前記上方吹出口１５ａにおける使用側の吹出口に吹出グリル１７を、かつ、不使用側の吹出口に閉塞蓋１６を選択的に止着するものである。
【００２１】
１８は前記吸込グリル３ａの裏側に配置されたフィルタ、１９は前記ベース１２上に設けられたハウジング構成の風路形成部材であり、この風路形成部材１９は、前記吸込グリル３ａから前記フィルタ１８を介して凝縮器５に外気を導入する風路（外気吸込風路）１９ａを形成するもので、その風路１９ａの下流側に絞り開口部１９ｂを有している。したがって、前記凝縮器５は前記風路１９ａ内に配置されている。
【００２２】
２０は前記風路１９ａの下流側に配置されたシロッコファン、２１はそのシロッコファン２０のファンケーシング、２１ａはファンケーシング２１の吸込口であり、この吸込口２１ａは前記風路１９ａの絞り開口部１９ｂに回動可能に嵌め込み接続されている。２１ｂは前記ファンケーシング２１の吹出口であり、この吹出口２１ｂは開口縁部に外向きのフランジ２１ｃを有している。２２は前記シロッコファン２０のファンモータであり、このファンモータ２２の回転軸を中心にして前記ファンケーシング２１が回動可能に支持されている。ここで、前記本体ケース３の側方吹出口１３ａ，１４ａと上方吹出口１５ａは、前記ファンケーシング２１の回動範囲内で異なった位置に開口しているもので、ファンケーシング２１の吹出口２１ｂが選択的に接続可能となっているものである。なお、ファンケーシング２１の回動範囲外に側方吹出口１３ａと上方吹出口１５ａを設け、入口・出口が可変可能なダクトにて接続してもよい。また、側方吹出口１３ａのかわりに側方吹出口１４ａを用いてもよい。
【００２３】
以上において、前記本体ケース３内には、前記風路形成部材１９とファンケーシング２１とによって、前記風路１９ａとは隔絶分離された機械室２３が形成され、この機械室２３内に圧縮機４と水用熱交換器７と制御部１１および冷媒配管（図示せず）等が収納配置されている。前記圧縮機４は、前記凝縮器５との間でファンケーシング２１を挟む位置に配置されてベース１２上に据え付け固定されている。前記水用熱交換器７は、蒸発器を構成する冷媒配管７ａを内蔵し、かつ、循環水入口７ｂおよび循環水出口７ｃを有するもので、前記凝縮器５の上部に前記風路形成部材１９を介して配置され、前記循環水入口７ｂおよび循環水出口７ｃには、図７および図８中の循環水導入管路９および循環水導出管路１０を接続するようになっている。前記制御部１１は、制御ボックス１１ａと、この制御ボックス１１ａ内に収納され電子部品等が実装された制御盤１１ｂとからなって、前記圧縮機４の上方位置で本体ケース３のトップパネル１５に吊持されている。なお、前記圧縮機４、水用熱交換器７、制御部１１の配置箇所は特定されるものでなく、前記機械室１１内であればよい。
【００２４】
次に動作について説明する。
まず、水槽用クーラーの据え付けに際しては、ファン排気方向を本体ケース３の上方排気とするか側方排気とするかを選定する。上方排気の場合は、サイドパネル１３，１４の少なくとも一方を取り外し、シロッコファン２０のファンケーシング２１を回動調整してファンケーシング２１の吹出口２１ｂと本体ケース３の上方吹出口１５ａとを連通させ、前記上方吹出口１５ａに吹出グリル１７を嵌め込み、その吹出グリル１７とファンケーシング２１のフランジ２１ｂとを着脱可能にネジ止めする。そして、本体ケース３の側方吹出口１３ａは閉塞蓋１６で塞いでおく。この状態において、本体ケース３のトップパネル１５から突出している循環水入口７ｂおよび循環水出口７ｃに図７、図８中の循環水導入管路９および循環水導出管路１０を接続することにより、水槽用クーラーの組み立て据え付けが終了する。
【００２５】
そして、循環ポンプ３０を稼動させると、図７中の水槽１の槽内水は、水用熱交換器７内に導入されて前記水槽１内に戻る循環流となり、この状態において、水槽用クーラーを稼動させると、圧縮機４から吐出された高温高圧の冷媒ガスが凝縮器５に流入する。この凝縮器５にはシロッコファン２０によって外気が導入されているため、凝縮器５に流入した冷媒は前記外気に放熱して熱交換され、熱交換後の高温空気（温風）は、風路１９ａからファンケーシング２１内を通って上方吹出口１５ａの吹出グリル１７から吹き出される。この場合、前記風路形成部材２１は風路１９ａよりも断面積が小さくなっていることにより、シロッコファン２０からの吹出風速が速くなる。
【００２６】
以上は凝縮器５による熱交換後の高温空気を本体ケース３の上方に排気する場合であり、この状態から前記高温空気を本体ケース３の側方に排気する場合について以下に説明する。図１および図２の状態から側方排気とする場合、本体ケース３のトップパネル１５から吹出グリル１７を取り外して前記トップパネル１５に対するファンケーシング２１の開口フランジ２１ｃの止着を解除し、側方吹出口１３ａを有するサイドパネル１３と前記トップパネル１５を図３に示すように取り外す。その取り外し後に、シロッコファン２０のファンモータ２２の回転軸を中心としてファンケーシング２１を、図４に示すように横向きに回動変位させる。この状態において、前記サイドパネル１３およびトップパネル１５を順次組み付けるが、その組み付け時において、前記サイドパネル１３の側方吹出口１３ａとファンケーシング２１の吹出口２１ｂとを連通合致させ、この状態で前記ファンケーシング２１の吹出口フランジ２１ｃを前記サイドパネル１３に対して吹出グリル１７と共に止着する。なお、前記サイドパネル１３の側方吹出口１３ａから取り外された閉塞蓋１６は、側方排気の場合に不使用状態となる前記上方吹出口１５ａを塞ぐものである。
【００２７】
このようにして、シロッコファン２０をファンケーシング２１の吹出口２１ｂが横向きとなるように回動変位させて水槽用クーラーを組み立てることにより、凝縮器５による熱交換後の高温空気を本体ケース３の側方に排気できるように水槽用クーラーを据え付けることができる。
【００２８】
以上説明した実施の形態１によれば、凝縮器５用の送風機としてシロッコファン２０を使用し、このシロッコファン２０を本体ケース３内の風路１９ａに配置するように構成したので、プロペラファンの場合と異なって高静圧対応となり、フィルタの目詰まり耐力が向上し、その目詰まりに起因した冷却能力の低下を抑制できるという効果がある。
【００２９】
また、上記実施の形態１によれば、シロッコファン２０のファンモータ２２の回転軸を中心にしてファンケーシング２１を回動可能に支持し、そのファンケーシング２１の吹出口２１ｂを、本体ケース３の上方吹出口１５ａと側方吹出口１３ａのいずれか一方に対して選択的に連通させるように構成したので、クーラー据付場所の状況に応じてシロッコファン２０の排気方向を選定することができ、クーラー据付場所の制約を緩和できるという効果がある。さらに、上述のように、風路１９ａとは隔絶された機械室２３内に圧縮機４を配置したことにより、吹出空気で圧縮機４が加熱され負荷の増大により振動したり、圧縮機４の運転音が本体ケース３外に漏れ難くなり、低騒音化が図れるという効果がある。
【００３０】
さらに、上記実施の形態１によれば、本体ケース３の内部には、凝縮器５が配置される風路１９ａとは隔絶された機械室２３を形成し、この機械室２３内に圧縮機４および水用熱交換器７を含む他の冷凍機器や電気部品等を収納配置するように構成したので、凝縮器５による熱交換後の高温空気が水用熱交換器７に吹き付けられるようなことがなく、このため、水用熱交換器７による槽内水（循環水）を効率よく冷却することができ、水槽内を適温に保持できるという効果がある。また、風路１９ａに比してファンケーシング２１の断面積が小さくなるように構成したので、シロッコファン２０からの吹出風速が速くなり、かつ、前記ファンケーシング２１によって、吹出口１３ａまたは１５ａまでの副到達距離が長くなるため、ショートサイクルが起こり難くなり、効率的な冷却を行うことが可能になるという効果がある。
【００３１】
なお、上記実施の形態１では、シロッコファン２１の吹出方向を上方吹出口１５ａから側方吹出口１３ａまたは１４ａに変化させる際、ファンモータ２２の位置が水槽用クーラーに対しそのままとなるようにファンケーシング２１への取り付け位置をネジ等で変えるものを示したが、ファンモータ２２のリード線（図示せず）を長めに設ければ、そのままファンケーシング２１とともに回転させても良い。
【００３２】
実施の形態２．
図５はこの発明の実施の形態２による水槽用クーラーを示す斜視図であり、図１から図４と同一または相当部分には同一符号を付して重複説明を省略する。図５において、２４は水槽用クーラーを収納設置するキャビネット、２５はそのキャビネット２４に設けたダクト吹出口、２６は本体ケース３の上方吹出口１５ａに着脱可能に止着されたダクト継ぎ手であり、このダクト継ぎ手２６は、上記実施の形態１における吹出グリル１７の代わりに取り付けられるもので、本体ケース３の側方吹出口１３ａに対しても着脱可能に取付け可能なものである。２７は排気ダクトであり、この排気ダクト２７は一端部（吸込み側）が前記ダクト継ぎ手２６に、かつ、他端部（吹出側）が前記ダクト吹出口２５にそれぞれ嵌め込み保持されるものである。なお、この実施の形態２における前記本体ケース３の内部は上記実施の形態１と同一構成をなすものである。
【００３３】
すなわち、この実施の形態２は、図７中の水槽用クーラー１をキャビネット２４内に設置する場合であり、この場合、本体ケース３内のシロッコファン２０からの高温空気を排気ダクト２７に通してキャビネット２４外に排気する構成としたものである。
【００３４】
このように構成した実施の形態２によれば、水槽用クーラー１をキャビネット２４内に設置した場合に、本体ケース３内での凝縮器５による熱交換後の高温空気が前記キャビネット２４内に排気されて籠もるようなことがなく、このため、ショートサイクルによる凝縮能力および冷却能力の低下を防止することが可能になるという効果がある。
【００３５】
実施の形態３．
図６はこの発明の実施の形態３による水槽用クーラーを示す斜視図であり、図５と同一部分には同一符号を付して重複説明を省略する。図６において、２８は部屋の開閉窓、２９は窓穴であり、この窓穴２９を利用して屋外に水槽用クーラーのダクト排気を行うようにしたものである。すなわち、上記実施の形態２では、キャビネット２４内に水槽用クーラーを設置してキャビネット２４外にダクト排気する構成としたが、この実施の形態３では、水槽用クーラーを部屋に設置し、部屋の窓穴２９を利用して屋外にダクト排気するようにしたものである。なお、この実施の形態３においても、本体ケース３の上方吹出口１３ａには、上記実施の形態２の場合と同様に図６中のダクト継ぎ手２６が着脱可能に取り付けられ、そのダクト継ぎ手２６に排気ダクト２７が接続されるものである。
【００３６】
上述のように構成された実施の形態３によれば、水槽１（図７参照）および水槽用クーラー２を部屋に設置した場合に、本体ケース３内での凝縮器５による熱交換後の高温空気が屋外にダクト排気されるため、その高温空気が前記水槽１の周辺および部屋内に排気されるようなことがなく、槽内水の冷却を効率的に行うことができるという効果がある。
【００３７】
【発明の効果】
以上のように、この発明によれば、水槽用クーラーの本体ケースに内蔵された凝縮器に外気を導入する送風機としてシロッコファンを前記本体ケース内に配置するように構成したので、凝縮器用送風機としてプロペラファンを用いる場合に比べ高静圧対応となり、凝縮器の外気吸込側に配置されるフィルタの目詰まりに起因した冷却能力の低減率を小さく抑えることが可能になるという効果がある。
【００３８】
この発明によれば、シロッコファンのモータ回転軸を中心としてファンケーシングを回動可能に支持するとともに、本体ケースには、前記ファンケーシングの吹出口を選択的に連通させるための複数の排気口を異なった位置に設けるように構成したので、クーラー据付場所の状況に応じてシロッコファンの排気方向を選択することができ、このため、クーラー据付場所の制約を緩和できるという効果がある。
【００３９】
この発明によれば、本体ケースの内部にシロッコファンの外気吸込風路と隔絶された機械室を形成し、前記外気吸込風路に凝縮器を配置するとともに、前記機械室には圧縮機および水用熱交換器を配置するように構成したので、凝縮器による熱交換後の高温空気が水用熱交換器に吹き付けられるようなことがなく、このため、水用熱交換器による槽内水の冷却を効率よく行うことができるという効果がある。
【００４０】
この発明によれば、冷凍機器を内蔵した本体ケースをキャビネット内に設置し、前記本体ケースに設けられた複数の吹出口のうちの１つに排気ダクトを接続し、その排気ダクトによって、シロッコファンからの吹出空気をキャビネット外に排気するように構成したので、水槽用クーラーをキャビネット内に設置した場合に、前記本体ケース内での凝縮器による熱交換後の高温空気が前記キャビネット内に排気されて籠もるようなことがなく、このため、ショートサイクルによる凝縮能力および冷却能力の低下を防止することが可能になるという効果がある。
【００４１】
この発明によれば、冷凍機器を内蔵した本体ケースを部屋に設置し、前記本体ケースに設けられた複数の吹出口のうちの１つに排気ダクトを接続し、その排気ダクトによって、シロッコファンからの吹出空気を屋外に排気するように構成したので、水槽用クーラーを部屋内に設置した場合に、凝縮器による熱交換後の高温空気が、部屋内に設置された水槽の周辺および部屋内に排気されるようなことがなく、槽内水の冷却を効率的に行うことができるという効果がある。
【００４２】
この発明によれば、凝縮器の外気吸込風路に比してシロッコファンのファンケーシングの断面積が小さくなるように構成したので、シロッコファンからの吹出風速を速くすることができ、このため、ショートサイクルが起こり難くなって効率的な冷却が可能になるという効果がある。
【図面の簡単な説明】
【図１】  この発明の実施の形態１による水槽用クーラーを示す外観斜視図である。
【図２】  図１の拡大断面図である。
【図３】  図１の水槽クーラーにおける本体ケースを分解してケース内部の冷凍機器を表出させた状態を示す斜視図である。
【図４】  図３中のシロッコファンを回動変位させた状態の水槽用クーラーを示す分解斜視図である。
【図５】  この発明の実施の形態２による水槽用クーラーを示す外観斜視図である。
【図６】  この発明の実施の形態３による水槽用クーラーを示す外観斜視図である。
【図７】  従来の水槽用クーラーを備えた観賞魚用水槽を示す正面図である。
【図８】  図６中の水槽用クーラー２を示す概略的な拡大斜視図である。
【符号の説明】
１  水槽、２  水槽用クーラー、３  本体ケース、３ａ  吸込グリル、４  圧縮機、５  凝縮器、７  水用熱交換器、７ａ  冷媒配管、７ｂ  循環水入口、７ｃ  循環水出口、９  循環水導入管路、１０  循環水導出管路、１１  制御部、１１ａ  制御ボックス、１１ｂ  制御盤、１２  ベース、１３，１４  サイドパネル、１３ａ，１４ａ  側方吹出口、１５  トップパネル、１５ａ  上方吹出口、１６  閉塞蓋、１７  吹出グリル、１８  フィルタ、１９  風路形成部材、１９ａ  風路、１９ｂ  絞り開口部、２０  シロッコファン、２１  ファンケーシング、２１ａ  吸込口、２１ｂ  吹出口、２１ｃ  フランジ、２２  ファンモータ、２３  機械室、２４  キャビネット、２５  ダクト吹出口、２６  ダクト継ぎ手、２７  排気ダクト、２８  開閉窓、２９  窓穴、３０  循環ポンプ。
【図１】
0004101428.tif 000002
【図２】
0004101428.tif 000003
【図３】
0004101428.tif 000004
【図４】
0004101428.tif 000005
【図５】
0004101428.tif 000006
【図６】
0004101428.tif 000007
【図７】
0004101428.tif 000008
【図８】
0004101428.tif 000009